【手続補正書】
【提出日】平成18年5月24日(2006.5.24)
【手続補正１】
【補正対象書類名】明細書
【補正対象項目名】発明の名称
【補正方法】変更
【補正の内容】
【発明の名称】ナビゲーション装置、及び目的地設定方法
【手続補正２】
【補正対象書類名】明細書
【補正対象項目名】特許請求の範囲
【補正方法】変更
【補正の内容】
【特許請求の範囲】
【請求項１】  音声認識した内容に基づき目的地への経路案内を行うナビゲ
ーション装置において、
音声認識した内容を目的地に関連する周辺情報として受け付ける目的地周辺情
報受付手段と、
前記目的地周辺情報に基づいて目的地を特定する目的地特定手段とを備えてい
ることを特徴とするナビゲーション装置。
【請求項２】  音声認識した内容に基づき目的地への経路案内を行うナビゲ
ーション装置において、
目的地に関連する周辺情報の音声入力を指示する指示手段と、
音声認識した内容を目的地に関連する周辺情報として受け付ける目的地周辺情
報受付手段と、
前記目的地周辺情報に基づいて目的地を特定する目的地特定手段とを備えてい
ることを特徴とするナビゲーション装置。
【請求項３】  音声認識した内容に基づき目的地への経路案内を行うナビゲ
ーション装置において、
音声認識した内容を地名として受け付ける地名受付手段と、
前記地名を目的地名に設定する設定手段と、
音声認識した内容を目的地に関連する周辺情報として受け付ける目的地周辺情
報受付手段と、
前記目的地周辺情報に基づいて目的地を特定する目的地特定手段と、
前記地名受付手段と、前記目的地周辺情報受付手段とを選択する選択手段とを
備えていることを特徴とするナビゲーション装置。
【請求項４】  音声認識した内容に基づき目的地への経路案内を行うナビゲ
ーション装置における目的地設定方法であって、
目的地に関連する周辺情報を目的地を特定するための情報として受け付け、
該受け付けた目的地周辺情報に関連する地名を提示し、
該提示した地名に基づいて目的地を設定することを特徴とする目的地設定方法
。
【手続補正３】
【補正対象書類名】明細書
【補正対象項目名】０００１
【補正方法】変更
【補正の内容】
【０００１】
【発明の属する技術分野】
本発明はナビゲーション装置、及び目的地設定方法に関し、詳細には音声入力
による操作（音声操作）が可能なナビゲーション装置、及び目的地設定方法に関
する。
【手続補正４】
【補正対象書類名】明細書
【補正対象項目名】０００４
【補正方法】変更
【補正の内容】
【０００４】
本発明は上記課題に鑑みなされたものであって、目的地の読み方が不明であっ
ても、音声操作により読み方が不明な目的地を設定することができるナビゲーシ
ョン装置、及び目的地設定方法を提供することを目的としている。
【手続補正５】
【補正対象書類名】明細書
【補正対象項目名】０００５
【補正方法】変更
【補正の内容】
【０００５】
【課題を解決するための手段及びその効果】
上記課題を解決するために本発明に係るナビゲーション装置（１）は、音声認
識した内容に基づき目的地への経路案内を行うナビゲーション装置において、音
声認識した内容を目的地に関連する周辺情報として受け付ける目的地周辺情報受
付手段と、前記目的地周辺情報に基づいて目的地を特定する目的地特定手段とを
備えていることを特徴としている。
また本発明に係るナビゲーション装置（２）は、音声認識した内容に基づき目
的地への経路案内を行うナビゲーション装置において、目的地に関連する周辺情
報の音声入力を指示する指示手段と、音声認識した内容を目的地に関連する周辺
情報として受け付ける目的地周辺情報受付手段と、前記目的地周辺情報に基づい
て目的地を特定する目的地特定手段とを備えていることを特徴としている。
また本発明に係るナビゲーション装置（３）は、音声認識した内容に基づき目
的地への経路案内を行うナビゲーション装置において、音声認識した内容を地名
として受け付ける地名受付手段と、前記地名を目的地名に設定する設定手段と、
音声認識した内容を目的地に関連する周辺情報として受け付ける目的地周辺情報
受付手段と、前記目的地周辺情報に基づいて目的地を特定する目的地特定手段と
、前記地名受付手段と、前記目的地周辺情報受付手段とを選択する選択手段とを
備えていることを特徴としている。
【手続補正６】
【補正対象書類名】明細書
【補正対象項目名】０００６
【補正方法】変更
【補正の内容】
【０００６】
上記したナビゲーション装置（１）〜（３）によれば、設定したい目的地の名
称が明確である（音声認識され易い）にもかかわらず目的地の読み方が不明であ
る場合や、誤った読み方で発声してしまうことにより音声認識されない場合にお
いても、前記目的地特定手段が、前記目的地周辺情報受付手段により受け付けら
れた目的地周辺情報に基づいて目的地を特定するため、音声操作による目的地の
設定を行うことができる。よって、例えば操作者が運転中である場合、リモート
コントローラやキー等の手動操作を行うことなく目的地の設定を行えるので、運
転者の操作負担を軽減できるとともに、運転の安全性を確保することができる。
また本発明に係る目的地設定方法（１）は、音声認識した内容に基づき目的地
への経路案内を行うナビゲーション装置における目的地設定方法であって、目的
地に関連する周辺情報を目的地を特定するための情報として受け付け、該受け付
けた目的地周辺情報に関連する地名を提示し、該提示した地名に基づいて目的地
を設定することを特徴としている。
上記した目的地設定方法（１）によれば、目的地に関連する周辺情報を目的地
を特定するための情報として受け付け、該受け付けた目的地周辺情報に関連する
地名を提示し、該提示した地名に基づいて目的地が設定されるため、設定したい
目的地の名称が明確である（音声認識され易い）にもかかわらず目的地の読み方
が不明である場合や、誤った読み方で発声してしまうことにより音声認識されな
い場合においても、音声操作による目的地の設定を行うことができる。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】変更
【補正の内容】
【００１６】
【発明の実施の形態】                                                  
以下、本発明に係るナビゲーション装置、及び目的地設定方法の実施の形態を
図面に基づいて説明する。
図１は実施の形態（１）に係る車載用ナビゲーション装置（以下、単にナビゲ
ーション装置と記す）の概略構成を示すブロック図である。図１に示すようにこ
のナビゲーション装置１０は、音声認識部１１とナビゲーション部１５とを主要
な構成要素として備えている。